(57)【特許請求の範囲】
【請求項１】
リモコンを用いてテレビの選択画面をユーザに操作させるセットトップボックスと、当該テレビで再生可能なコンテンツをセットトップボックスへ配信するＯＴＴ(Over The Top)事業者サーバと、セットトップボックスとＯＴＴ事業者サーバとの間のネットワークを管理する通信事業者サーバとが通信するシステムにおいて、
セットトップボックスは、リモコンから検知したキー順列を、通信事業者サーバへ送信し、
通信事業者サーバは、
ＯＴＴ事業者サーバ毎に、キー順列に応じて遷移する画面情報を予め蓄積しており、
セットトップボックス毎に、受信したキー順列に応じてＯＴＴ事業者サーバを認識すると共に、ＯＴＴ事業者サーバから配信されるべき画面を辿ってユーザ操作された選択項目を認識する
ことを特徴とするシステム。
【請求項２】
セットトップボックスは、ホーム画面を表示する起動時に、通信事業者サーバへ起動信号を送信し、初期位置の選択項目が指示されており、
通信事業者サーバは、起動信号を受信した際に、当該セットトップボックスにホーム画面が初期表示され、初期位置の選択項目が指示されていることを認識する
ことを特徴とする請求項１に記載のシステム。
【請求項３】
セットトップボックスは、起動信号に、セットトップボックス識別子及び／又はユーザ識別子を含め、
通信事業者サーバは、起動信号を受信した際に、セットトップボックス識別子及び／又はユーザ識別子に応じたホーム画面を初期表示する
ことを特徴とする請求項２に記載のシステム。
【請求項４】
ＯＴＴ事業者サーバ毎に、画面情報における選択項目について、ユーザ操作可能な選択項目までのキー順列（選択項目の位置）が全てのユーザにとって同一の固定項目と、レコメンド機能によってユーザ毎に異なる可変項目とに分類され、
通信事業者サーバは、キー順列によって、固定項目のみを認識する
ことを特徴とする請求項１から３のいずれか１項に記載のシステム。
【請求項５】
通信事業者サーバは、
ＯＴＴ事業者サーバ毎の視聴割合を算出し、当該視聴割合に応じて各ＯＴＴ事業者サーバに割り当てるべき通信帯域を導出し、各ＯＴＴ事業者サーバが接続するヘッドエンド設備を各通信帯域によって制御する
ことを特徴とする請求項１から４のいずれか１項に記載のシステム。
【請求項６】
通信事業者サーバは、ユーザ操作によって選択項目「検索」が選択された場合、セットトップボックスから受信したキー順列によって、キーワードを認識する
ことを特徴とする請求項１から７のいずれか１項に記載のシステム。
【請求項７】
リモコンを用いてテレビの選択画面をユーザに操作させるセットトップボックスと、当該テレビで再生可能なコンテンツをセットトップボックスへ配信するＯＴＴ事業者サーバと、セットトップボックスとＯＴＴ事業者サーバとの間のネットワークを管理する通信事業者サーバとが通信するシステムのユーザ操作認識方法において、
セットトップボックスは、リモコンから検知したキー順列を、通信事業者サーバへ送信し、
通信事業者サーバは、
ＯＴＴ事業者サーバ毎に、キー順列に応じて遷移する画面情報を予め蓄積しており、
セットトップボックス毎に、受信したキー順列に応じてＯＴＴ事業者サーバを認識すると共に、ＯＴＴ事業者サーバから配信されるべき画面を辿ってユーザ操作された選択項目を認識する
ことを特徴とするユーザ操作認識方法。
【発明の詳細な説明】
【技術分野】
【０００１】
本発明は、ユーザに対してコンテンツを配信するＯＴＴ(Over The Top)事業者と、そのコンテンツをユーザまで伝送する通信事業者とによって構築されるシステムの技術に関する。
【背景技術】
【０００２】
図１は、従来技術におけるシステム構成図である。
【０００３】
図１によれば、ユーザの宅内に設置されたセットトップボックス１は、テレビ２に接続されている。セットトップボックス１は、ブロードキャストメディアに限らず、オンラインインタラクティブメディアなど様々なリソースのコンテンツを受信し、テレビ２で再生することができる。
勿論、セットトップボックス１は、その機能がテレビ２に組み込まれた「スマートテレビ(Smart TV)」（又はConnected TVやHybrid TVとも称される）であってもよい。
【０００４】
セットトップボックス１は、テレビ２のディスプレイに、コンテンツガイド（選択画面）を表示する。ユーザは、そのコンテンツガイドを閲覧しながら、自ら所持するリモコン３を用いて、所望のコンテンツを選択することができる。このとき、ユーザは、リモコン３に並べられた物理ボタンを押下しながら、テレビ２に表示された選択項目を辿っていく。所望の選択項目に達した際に、「決定（ＯＫ）」ボタンを押下することによって、その選択項目をセットトップボックス１へ認識させる。
【０００５】
オンラインインタラクティブメディアとしては、ＯＴＴ事業者サーバ５から配信されるコンテンツストリームがある。ＯＴＴ事業者サーバ５は、インターネットや提携通信回線（例えばケーブルテレビ事業者網）を介して、映像などの大容量のコンテンツストリームを、ユーザ（セットトップボックス１やスマートテレビ）へ配信する。ＯＴＴ事業者としては、例えばNetflix（登録商標）やHulu（登録商標）、YouTube（登録商標）、Amazon Prime Video（登録商標）、DAZN（登録商標）、AbemaTV（登録商標）、TVer（登録商標）などがある。これらＯＴＴ事業者は、コンテンツの充実のみに注力し、グローバル且つ大規模にサービスを提供する。
【０００６】
ここで、ＯＴＴ事業者は、通信事業者（インターネットサービスプロバイダも含む）とは無関係となる。ユーザは、ＯＴＴ事業者及び通信事業者とは個別に契約することとなる。
即ち、通信事業者は、通信回線を単なるデータの通り道（土管）として提供し、ＯＴＴ事業者は、その土管の中へコンテンツストリームを流すことによって、ユーザの端末へ直接的に配信することができる。
【先行技術文献】
【非特許文献】
【０００７】
「ＯＴＴ（オーバー・ザ・トップ）とは | インターネットを揺さぶるマルチメディアの激震」、[online]、［令和２年４月１５日検索］、インターネット＜https://boxil.jp/mag/a3613/＞
【発明の概要】
【発明が解決しようとする課題】
【０００８】
最初に、セットトップボックス１は、ユーザに対する選択項目（アイコン）を並べたホーム画面をテレビ２に表示する。その選択項目として様々なＯＴＴ事業者も並んでおり、オンラインインタラクティブメディアを視聴したいユーザは、１つのＯＴＴ事業者を選択することができる。
【０００９】
選択されたＯＴＴ事業者サーバ５は、ユーザに対する当該ＯＴＴ事業者自らの選択画面をセットトップボックス１へ配信して、テレビ２に表示させる。このとき、ＯＴＴ事業者が配信する選択画面は、アイコンが固定的に配置された場合もあるし、各ユーザの視聴嗜好に応じたレコメンドとして可変的に配置される場合もある。
【００１０】
しかしながら、通信事業者から見て、ユーザが何れのＯＴＴ事業者を選択し、どのようなコンテンツを視聴しているかを全く知ることができない。セキュリティや著作権の観点からも、コンテンツは暗号化されており、通信事業者としては単なるデータストリームとしてしか認識することができない。
一方で、通信事業者としては、ＯＴＴ事業者が配信する大容量のコンテンツによって、通信設備の通信帯域が逼迫する場合がある。即ち、通信事業者としては、ＯＴＴ事業者の大容量のコンテンツを流し込める土管を安定的に提供する必要があり、通信設備の維持コストは多大なものとなっている。
【００１１】
これに対し、本願の発明者らは、通信事業者としても、ユーザが、いずれのＯＴＴ事業者を選択し、どのようなコンテンツカテゴリを視聴しているかを認識することは、通信設備を維持する上で重要な情報であると考えた。
特定のＯＴＴ事業者が選択される割合が高い場合、通信設備全体の通信帯域をそのＯＴＴ事業者へ向けるべく、ネットワーク全体を設計することもできる。また、コンテンツカテゴリによっては、そのコンテンツのデータ特性に応じて、通信設備を設計することもできる。
【００１２】
そこで、本発明は、選択画面に対するユーザ操作を通信事業者サーバで認識するシステム及びユーザ操作認識方法を提供することを目的とする。
【課題を解決するための手段】
【００１３】
本発明によれば、リモコンを用いてテレビの選択画面をユーザに操作させるセットトップボックスと、当該テレビで再生可能なコンテンツをセットトップボックスへ配信するＯＴＴ(Over The Top)事業者サーバと、セットトップボックスとＯＴＴ事業者サーバとの間のネットワークを管理する通信事業者サーバとが通信するシステムにおいて、
セットトップボックスは、リモコンから検知したキー順列を、通信事業者サーバへ送信し、
通信事業者サーバは、
ＯＴＴ事業者サーバ毎に、キー順列に応じて遷移する画面情報を予め蓄積しており、
セットトップボックス毎に、受信したキー順列に応じてＯＴＴ事業者サーバを認識すると共に、ＯＴＴ事業者サーバから配信されるべき画面を辿ってユーザ操作された選択項目を認識する
ことを特徴とする。
【００１４】
本発明のシステムにおける他の実施形態によれば、
セットトップボックスは、ホーム画面を表示する起動時に、通信事業者サーバへ起動信号を送信し、初期位置の選択項目が指示されており、
通信事業者サーバは、起動信号を受信した際に、当該セットトップボックスにホーム画面が初期表示され、初期位置の選択項目が指示されていることを認識する
ことも好ましい。
【００１５】
本発明のシステムにおける他の実施形態によれば、
セットトップボックスは、起動信号に、セットトップボックス識別子及び／又はユーザ識別子を含め、
通信事業者サーバは、起動信号を受信した際に、セットトップボックス識別子及び／又はユーザ識別子に応じたホーム画面を初期表示する
ことも好ましい。
【００１９】
本発明のシステムにおける他の実施形態によれば、
ＯＴＴ事業者サーバ毎に、画面情報における選択項目について、ユーザ操作可能な選択項目までのキー順列（選択項目の位置）が全てのユーザにとって同一の固定項目と、レコメンド機能によってユーザ毎に異なる可変項目とに分類され、
通信事業者サーバは、キー順列によって、固定項目のみを認識する
ことも好ましい。
【００２０】
本発明のシステムにおける他の実施形態によれば、
通信事業者サーバは、
ＯＴＴ事業者サーバ毎の視聴割合を算出し、当該視聴割合に応じて各ＯＴＴ事業者サーバに割り当てるべき通信帯域を導出し、各ＯＴＴ事業者サーバが接続するヘッドエンド設備を各通信帯域によって制御する
ことも好ましい。
【００２２】
本発明のシステムにおける他の実施形態によれば、
通信事業者サーバは、ユーザ操作によって選択項目「検索」が選択された場合、セットトップボックスから受信したキー順列によって、キーワードを認識する
ことも好ましい。
【００２３】
本発明によれば、リモコンを用いてテレビの選択画面をユーザに操作させるセットトップボックスと、当該テレビで再生可能なコンテンツをセットトップボックスへ配信するＯＴＴ事業者サーバと、セットトップボックスとＯＴＴ事業者サーバとの間のネットワークを管理する通信事業者サーバとが通信するシステムのユーザ操作認識方法において、
セットトップボックスは、リモコンから検知したキー順列を、通信事業者サーバへ送信し、
通信事業者サーバは、
ＯＴＴ事業者サーバ毎に、キー順列に応じて遷移する画面情報を予め蓄積しており、
セットトップボックス毎に、受信したキー順列に応じてＯＴＴ事業者サーバを認識すると共に、ＯＴＴ事業者サーバから配信されるべき画面を辿ってユーザ操作された選択項目を認識する
ことを特徴とする。
【発明の効果】
【００２４】
本発明におけるシステム及びユーザ操作認識方法によれば、選択画面に対するユーザ操作を通信事業者サーバで認識することができる。
【図面の簡単な説明】
【００２５】
【図１】従来技術におけるシステム構成図である。
【図２】本発明におけるシステム構成図である。
【図３】テレビに表示されるホーム画面を表す説明図である。
【図４】アプリ２の画面表示を表す説明図である。
【図５】アプリ１の画面表示を表す説明図である。
【図６】アプリ３の画面表示を表す説明図である。
【図７】検索画面に対するキー入力を表す説明図である。
【発明を実施するための形態】
【００２６】
以下、本発明の実施の形態について、図面を用いて詳細に説明する。
【００２７】
図２は、本発明におけるシステム構成図である。
【００２８】
図２のシステムによれば、図１と同様に、テレビ２を接続したセットトップボックス１と、通信事業者サーバ４と、ＯＴＴ事業者サーバ（コンテンツサーバ）５とが、ネットワークを介して通信する。
ネットワークは、例えばケーブルテレビ事業者網であってもよい。その場合、通信事業者サーバ４は、ケーブルテレビ事業者サーバとなる。
ＯＴＴ事業者サーバ５は、コンテンツ事業者として複数存在しており、テレビ２を視聴するユーザによって自由に選択される。
【００２９】
［セットトップボックス１］
セットトップボックス１は、例えばAndroidTV（登録商標）のようなスマートテレビのプラットフォームアプリケーションをインストールしている。セットトップボックス１は、テレビ２に「ホーム画面」を表示し、選択項目（アイコン）に対応したＯＴＴ事業者サーバ５を、リモコン３を用いてユーザに選択させる。そして、セットトップボックス１は、ユーザによって選択されたＯＴＴ事業者サーバ５から配信されるコンテンツストリームを、テレビ２で再生する。
尚、セットトップボックス１は、テレビ２に一体的に組み込まれたものであってもよい。
【００３０】
ユーザが操作するリモコン３は、セットトップボックス１へ、赤外線によってキー操作信号を送信する。これに対し、セットトップボックス１は、その赤外線を受信し、ユーザによるキー操作信号を認識する。
そして、本発明のセットトップボックス１は、リモコン３に対して操作された「キー順列」を検知し、当該キー順列を通信事業者サーバ４へ送信する。
【００３１】
［ＯＴＴ事業者サーバ５］
ネットワークがケーブルテレビ事業者網である場合、複数のＯＴＴ事業者サーバ５は、ケーブルテレビ事業者網におけるケーブルヘッドエンド設備に接続される。
そして、選択されたＯＴＴ事業者サーバ５は、そのユーザのセットトップボックス１へ、メニュー画面やコンテンツストリームを、ケーブルテレビ事業者網を介してセットトップボックス１へ配信する。
ここで、ＯＴＴ事業者サーバ５からセットトップボックス１へ配信されるコンテンツストリーム等は、暗号化されている。そのために、ユーザ認証されたセットトップボックス１のみでしか復号できない。また、ケーブルテレビ事業者網を制御する通信事業者サーバ４も、ＯＴＴ事業者サーバ５から配信されるコンテンツストリーム等の内容を認識することができない。
【００３２】
［通信事業者サーバ４］
通信事業者サーバ４は、ネットワークを管理運用するものである。ネットワークが例えばケーブルテレビ事業者網である場合、ＯＴＴ事業者サーバ５が接続するケーブルヘッドエンド設備を制御することができる。
【００３３】
本発明の通信事業者サーバ４は、セットトップボックス１から受信したキー順列に応じて画面を辿り、ユーザ操作された選択項目を認識する。これによって、通信事業者サーバ４は、何れのＯＴＴ事業者サーバ５が選択されたかを認識することができる。また、大凡どのようなカテゴリのコンテンツストリームが配信されているか、も認識することできる。
【００３４】
また、通信事業者サーバ４は、全体的に、ＯＴＴ事業者サーバ５毎の視聴割合を算出することもできる。これによって、当該視聴割合に応じて、各ＯＴＴ事業者サーバ５に割り当てるべき通信帯域を導出し、各ＯＴＴ事業者サーバが接続するヘッドエンド設備を各通信帯域によって制御することができる。
例えば視聴割合が高いＯＴＴ事業者には、広い通信帯域を与えると共にその通信帯域に応じた設計に通信設備を対応させることができ、通信設備の維持コストを要求することもできる。また、例えば特定のデータ特性のコンテンツが大量に流れる場合、そのデータ特性に応じた設計に通信設備を対応させることもできる。
【００３５】
図３は、テレビに表示されるホーム画面を表す説明図である。
【００３６】
図３によれば、セットトップボックス１は、起動時に、テレビ２に「ホーム画面」を表示している。ホーム画面によれば、操作可能な選択項目（アイコン）が、予め規定された位置に配置されている。セットトップボックス１の起動は、電源投入時であってもよいし、リモコン３の専用ホームボタンが押下された時であってもよい。
これに対し、通信事業者サーバ４も、セットトップボックス１毎に、同一の「ホーム画面」を予め記憶しており、各アイコンの位置も認識している。
【００３７】
図３によれば、左側の縦列に、コンテンツソースカテゴリのアイコンが並んでおり、中央及び右側の横列に、複数のアプリが縦列横列に並んでいる。選択されたコンテンツソースカテゴリのアイコンに応じて、アプリのアイコンの内容や並びも変更される。
選択項目（アイコン）は、指示された際にフォーカスされ、ユーザから見て目立つように、影つきや立体化して表示されるサムネイルであってもよい。
サムネイルは、アプリを表す１枚の静止画像であってもよいし、例えば複数の静止画像が一定時間（例えば２秒）毎にパラパラと更新されるものであってもよい。
【００３８】
図３によれば、ホーム画面における初期位置の選択項目のアイコンとして、［地上波］が指示されている。そして、セットトップボックス１は、ホーム画面を表示する起動時に、通信事業者サーバへ「起動信号」を送信する。
これに対し、通信事業者サーバ４は、起動信号を受信した際に、当該セットトップボックス１にホーム画面が初期表示され、初期位置の選択項目が指示されていることを認識する。
【００３９】
また、セットトップボックス１は、起動信号に、セットトップボックス識別子及び／又はユーザ識別子を含めてもよい。即ち、セットトップボックス識別子及び／又はユーザ識別子に応じて、ホーム画面が異なる場合を想定する。
これに対し、通信事業者サーバ４は、起動信号を受信した際に、セットトップボックス識別子及び／又はユーザ識別子に応じたホーム画面が初期表示されていると認識することができる。
【００４０】
通信事業者サーバ４は、、セットトップボックス識別子及び／又はユーザ識別子に対して、キー順列に応じて遷移する画面情報を予め蓄積している。そして、通信事業者サーバ４は、セットトップボックス１から受信したキー順列に応じて、当該ホーム画面を辿って、ユーザ操作された選択項目に応じて画面遷移することができる。
【００４１】
＜アプリ２の選択について＞
図３によれば、ユーザは、テレビ２に表示されたホーム画面に対して、リモコン３を用いて以下のキーを操作している。
∨        ∨        ∨          ＞            ＞      [OK]
［地上波］->［ＢＳ］->［ＣＳ］->［アプリ］->［アプリ１］->［アプリ２］
セットトップボックス１は、リモコン３に対して操作されたその「キー順列」を検知し、当該キー順列を通信事業者サーバ４へ送信する。このキー順列は、［アプリ２］が選択されたことを意味する。
【００４２】
通信事業者サーバ４は、セットトップボックス毎に、受信したキー順列に応じて画面を辿り、ユーザ操作された選択項目を認識する。
図３によれば、通信事業者サーバ４も、ホーム画面から以下のキーを辿っていく。
∨        ∨        ∨          ＞            ＞      [OK]
［地上波］->［ＢＳ］->［ＣＳ］->［アプリ］->［アプリ１］->［アプリ２］
このとき、通信事業者サーバ４は、［アプリ２］が選択されたことを認識することができる。
【００４３】
図３によれば、例えばアプリ１、アプリ２、アプリ３は、ＯＴＴ事業者サーバ５を選択するものであってもよい。ユーザが、例えば［アプリ２］を選択した場合、ＯＴＴ事業者サーバ５Ｂを選択することを意味するとする。このとき、通信事業者サーバ４は、キー順列に応じた選択項目に基づくＯＴＴ事業者サーバ５Ｂが選択された、と認識することができる。
【００４４】
図４は、アプリ２の画面表示を表す説明図である。
【００４５】
通信事業者サーバ４は、ＯＴＴ事業者サーバ（アプリ）毎に、キー順列に応じて遷移する画面情報を予め蓄積している。
そして、通信事業者サーバ４は、セットトップボックス１から受信したキー順列に応じて、当該ＯＴＴ事業者サーバの選択画面（アプリ画面）を辿って、ユーザ操作された選択項目に応じて画面遷移することができる。
図４によれば、アプリ２は、例えばＯＴＴ事業者サーバ５Ｂの選択画面であるとする。このとき、通信事業者サーバ４は、アプリ２（ＯＴＴ事業者サーバ５Ｂ）の画面情報を予め蓄積している。そして、セットトップボックス１から受信したキー順列に応じて、当該アプリ２の画面を辿って、ユーザ操作された選択項目に応じて画面遷移することができる。
【００４６】
図４によれば、アプリ２の画面は、左側の縦列に、コンテンツのカテゴリのアイコンが並んでおり、その選択に応じて右側のコンテンツのアイコンが表示される。
アプリ２の画面の場合、デフォルト位置のアイコンは、［トップ］であるとする。その後、ユーザは、ホーム画面に対して、リモコン３から以下のキーを操作している。
∨                    ＞          ＞          ＞        [OK]
［トップ］->［海外ドラマ・ＴＶ］->［ＡＡＡ］->［ＢＢＢ］->［ＰＢライアン］
この場合、コンテンツ［ＰＢライアン］が選択されている。
これに対し、通信事業者サーバ４も、このキー操作の順列を辿ることによって、［トップ］から以下のキーを辿っていくことができる。
∨                    ＞          ＞          ＞        [OK]
［トップ］->［海外ドラマ・ＴＶ］->［ＡＡＡ］->［ＢＢＢ］->［ＰＢライアン］
これによって、通信事業者サーバ４も、コンテンツ［ＰＢライアン］が選択されたことを認識することができる。
【００４７】
ここで、ＯＴＴ事業者サーバ５毎に、画面情報における選択項目（コンテンツのアイコン）について、以下の２つに分類される。
固定項目：選択項目の位置が全てのユーザにとって同一である。
即ち、同じキー順列であれば全てのユーザについて同じ選択項目を指す。
可変項目：レコメンド機能によってユーザ毎に異なる。
即ち、同じキー順列であってもユーザ毎に異なる選択項目を指す。
【００４８】
（固定項目）
図４によれば、コンテンツガイドの第１列は、固定項目となっている。そのために、通信事業者サーバ４は、アプリ２の画面であっても、キー順列によって何れのコンテンツが選択されたかまで認識することができる。即ち、通信事業者サーバ４は、コンテンツ［ＰＢライアン］が選択されたことまで認識することができる。
［トップ］->［海外ドラマ・ＴＶ］->［ＡＡＡ］->［ＢＢＢ］->［ＰＢライアン］
【００４９】
（可変項目）
図４によれば、コンテンツガイドの第２列は、可変項目となっており、ユーザ毎の視聴嗜好に基づいて、レコメンド機能によって並ぶコンテンツの内容が異なる。そのために、通信事業者サーバ４は、アプリ２の画面であっても、キー順列によって何れのコンテンツが選択されたかまで認識することができない。
［トップ］->［海外ドラマ・ＴＶ］->［？］->［？］->［？］
但し、このような場合であっても、通信事業者サーバ４は、ユーザによって選択されたコンテンツカテゴリ［海外テレビドラマ・ＴＶ］を、キー順列のみによって認識することができる。
【００５０】
＜アプリ１の選択について＞
図３のホーム画面に対して、ユーザが、リモコン３から以下のキーを操作して、［アプリ１］を選択したとする。
∨        ∨        ∨          ＞      [OK]
［地上波］->［ＢＳ］->［ＣＳ］->［アプリ］->［アプリ１］
通信事業者サーバ４も、ホーム画面から以下のキーを辿ることによって、［アプリ１］が選択されたことを認識することができる。
∨        ∨        ∨          ＞      [OK]
［地上波］->［ＢＳ］->［ＣＳ］->［アプリ］->［アプリ１］
【００５１】
図５は、アプリ１の画面表示を表す説明図である。
【００５２】
図５によれば、コンテンツガイドの第１列は、固定項目となっており、第２列は、可変項目となっている。
アプリ１（ＯＴＴ事業者サーバ５Ａ）の画面の場合、デフォルト位置のアイコンは、［検索］であるとする。その後、図５によれば、ユーザは、アプリ１の画面に対して、リモコン３から以下のキーを操作している。
∨            ＞          ＞          ＞        [OK]
［検索］->［ニュース］->［ＣＣＣ］->［ＤＤＤ］->［経済ニュース］
この場合、コンテンツ［経済ニュース］が選択されている。
通信事業者サーバ４もこのキー操作の順列を辿ることによって、［検索］から以下のキーを辿って、コンテンツ［経済ニュース］を認識することができる。
∨            ＞          ＞          ＞        [OK]
［検索］->［ニュース］->［ＣＣＣ］->［ＤＤＤ］->［経済ニュース］
【００５３】
＜アプリ３の選択について＞
図３のホーム画面に対して、ユーザが、リモコン３から以下のキーを操作して、［アプリ３］を選択したとする。
∨  ∨  ∨  ＞  ＞  ＞  [OK]
通信事業者サーバ４も、ホーム画面から以下のキーを辿ることによって、アプリ３が選択されたことを認識することができる。
∨  ∨  ∨  ＞  ＞  ＞  [OK]
【００５４】
図６は、アプリ３の画面表示を表す説明図である。
【００５５】
図６によれば、上側の横列に、コンテンツのカテゴリのアイコンが並んでおり、その選択に応じて表示される下側のアプリのアイコンの内容や並びが変更されるものとなっている。
アプリ３（ＯＴＴ事業者サーバ５Ｃ）の画面の場合、デフォルト位置のアイコンは、［ホーム］であるとする。その後、図６によれば、ユーザは、アプリ３の画面に対して、リモコン３から以下のキーを操作している。
＞              ＞        ＞            ＞          ＞    [OK]
［ホーム］->［オリジナル］->［映画］->［ＴＶ番組］->［キッズ］->［検索］
この場合、選択ボタン［検索］が選択されている。
通信事業者サーバ４も、このキー操作の順列を辿ることによって、［ホーム］から以下のキーを辿って、［検索］を認識することができる。
＞              ＞        ＞            ＞          ＞    [OK]
［ホーム］->［オリジナル］->［映画］->［ＴＶ番組］->［キッズ］->［検索］
【００５６】
図７は、検索画面に対するキー入力を表す説明図である。
【００５７】
図７によれば、テレビ２に検索画面が表示されており、５０音のキーボードが表示されている。この場合、リモコン３の上下左右キーを操作しながら、決定ボタン[OK]を押下することによって、検索文字（キーワード）を入力することができる。
これに対し、通信事業者サーバ４は、ユーザ操作によって選択項目「検索」が選択された場合、セットトップボックスから受信したキー順列によって、検索文字（キーワード）を認識する
【００５８】
前述した実施形態によれば、通信事業者サーバ４は、セットトップボックス１がテレビ２に表示するホーム画面に続くアプリ画面に対して、リモコン３のユーザ操作によるキー順列から、選択項目を認識するものである。
これに対して、他の実施形態によれば、通信事業者サーバ４は、セットトップボックス１がテレビ２に表示するメニュー画面又は電子番組表に対して、リモコン３のユーザ操作によるキー順列から、選択項目を認識するものであってもよい。
【００５９】
（メニュー画面）
メニュー画面は、セットトップボックス１に対する設定画面であってもよいし、テレビ２や他のユーザ周辺機器（家電機器など）に対する設定画面や操作画面であってもよい。設定画面や操作画面をテレビ２に表示し、ユーザがリモコン３から操作することによって、通信事業者サーバ４は、ユーザが設定又は操作しようとする選択項目を認識することができる。
【００６０】
（電子番組表）
電子番組表(Electronic Programming Guide)は、番組（コンテンツ）の放送予定を、時間帯及びチャンネル番号によって表形式（ラテ欄）にまとめたものであってもよい。電子番組表は、一般に、縦軸に時間帯を、横軸にチャネルを構成した格子状のセルとして表される。セルの中に、タイトルや出演者名等の番組内容（メタデータ）が記述されている。この電子番組表を、テレビ２に表示し、ユーザがリモコン３から操作することによって、通信事業者サーバ４は、ユーザが視聴しようとする番組を認識することができる。
【００６１】
以上、詳細に説明したように、本発明におけるシステム及びユーザ操作認識方法によれば、選択画面に対するユーザ操作を通信事業者サーバで認識することができる。
【００６２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６３】
１  セットトップボックス
２  テレビ
３  リモコン
４  通信事業者サーバ
５  ＯＴＴ事業者サーバ
【要約】
【課題】選択画面に対するユーザ操作を通信事業者サーバで認識するシステム等を提供する。
【解決手段】リモコンを用いてテレビの選択画面をユーザに操作させるセットトップボックスと、通信事業者サーバとが、ネットワークを介して通信するシステムにおいて、セットトップボックスは、リモコンから検知したキー順列を、通信事業者サーバへ送信し、通信事業者サーバは、セットトップボックス毎に、受信したキー順列に応じて画面を辿り、ユーザ操作された選択項目を認識する。セットトップボックスは、複数のＯＴＴ(Over The Top)事業者サーバから配信されるコンテンツをテレビで再生可能であり、通信事業者サーバは、キー順列に応じた選択項目に基づく再生中のＯＴＴ事業者サーバを認識する。
【選択図】図２【図１】
0006754542.tif 000002
【図２】
0006754542.tif 000003
【図３】
0006754542.tif 000004
【図４】
0006754542.tif 000005
【図５】
0006754542.tif 000006
【図６】
0006754542.tif 000007
【図７】
0006754542.tif 000008